(57)【要約】【課題】より構造が簡単で部品点数が少なく、低コスト化できると共に、操作性が良く、所望の直線を何本でも容易かつ正確に引くことができるようにする。【解決手段】筆記シートの走行方向に直交する縦方向の表示枠２には、書込みペンを固定し、そのペン先を位置決めするための位置決め部５が配置され、その位置決め部５には、表示枠２を利用したレール部５ａに沿って筆記シート４の走行方向に直交する方向の任意の位置に移動可能なスライド部５ｂと、これと一体化して移動可能な書込みペンを保持するペン保持部５ｃが設けられている。このペン保持部５ｃに書込みペンを保持させ、筆記シート４上にペン先を接触させた状態で位置決めする。操作部６ａを操作し、筆記シート４の移動距離を設定して移動させると、筆記シート４上に移動方向に沿って綺麗な直線を引くことができる。【選択図】        図１
2005225142.tif 000002
【特許請求の範囲】
【請求項１】
表示枠内に搬送可能に張り渡した無限軌道状の筆記シートと、
前記筆記シートを搬送方向に移動させる移動手段と、
前記移動手段を制御する移動制御手段と、
前記筆記シートの搬送方向にペンを使って直線を引くため、表示枠またはそれに取り付けて搬送方向と直交する方向に移動自在に配置され、前記ペンの書込み位置を位置決めするペン保持手段と、
前記筆記シートの移動距離が設定可能な筆記シートのシート移動距離設定手段と、
を備えたことを特徴とする書込み装置。
【請求項２】
前記移動制御手段は、前記シート移動距離設定手段で設定された移動距離だけ筆記シートを移動させた後、停止させることを特徴とする請求項１に記載の書込み装置。
【請求項３】
前記移動制御手段は、前記シート移動距離設定手段で設定された移動距離だけ筆記シートを移動させた後、一定の移動停止時間を設け、移動停止時間後に移動させた筆記シートを元の位置に戻すように移動制御することを特徴とする請求項１に記載の書込み装置。
【請求項４】
前記移動制御手段は、前記シート移動距離設定手段で設定された移動距離だけ筆記シートを移動させた後、一旦停止し、移動した筆記シートを元の位置に戻す際に、移動距離に応じて、筆記シートを送り方向に移動させるか、戻し方向に移動させるかを判断し、少ない移動距離で元の位置に戻る方向に移動させるように制御することを特徴とする請求項３に記載の書込み装置。
【請求項５】
前記シート移動距離設定手段は、前記筆記シートの移動回数が設定可能な移動回数設定手段を併せ持っていることを特徴とする請求項１に記載の書込み装置。
【請求項６】
前記移動制御手段は、前記移動回数設定手段によって設定された移動回数分だけ筆記シートを移動させる際に、筆記シートを元の位置に移動させた後、移動停止時間を設け、再度設定されている移動距離だけ筆記シートを移動させるように制御することを特徴とする請求項５に記載の書込み装置。
【請求項７】
前記筆記シートに記載された画像を読込む画像読込み手段と、
前記画像読込み手段で読込んだ画像を印字出力する出力手段と、
前記出力手段からの出力枚数を設定する出力枚数設定手段と、
をさらに備え、
前記シート移動距離設定手段には、前記出力枚数設定手段と前記移動回数設定手段の少なくとも一方の機能を併せ持つと共に、
何れかの機能を選択的に切り替えて使用するモード切替手段を備えていることを特徴とする請求項５に記載の書き込み装置。
【請求項８】
前記モード切替手段を設けたシート移動距離設定手段と出力枚数設定手段とを兼用している場合に、
前記モード切替手段の初期設定モードを出力枚数設定モードとしていることを特徴とする請求項７に記載の書込み装置。
【請求項９】
前記モード切替手段を設けたシート移動距離設定手段と出力枚数設定手段とを兼用している場合に、
前記シート移動距離設定モード選択時に、一定時間内にシート移動距離設定入力およびシート移動開始に関する入力がない場合は、前記モード切替手段によって出力枚数設定モードに移行することを特徴とする請求項７または８に記載の書込み装置。
【請求項１０】
前記モード切替手段を設けたシート移動距離設定手段と出力枚数設定手段とを兼用している場合に、
前記シート移動距離設定モード選択時に、出力開始キーが押下されても出力作業を開始しないことを特徴とする請求項７〜９のいずれか一つに記載の書込み装置。
【請求項１１】
前記モード切替手段を設けたシート移動距離設定手段と出力枚数設定手段とを兼用している場合に、
前記シート移動距離設定モード選択時に、出力開始キーが押下されても出力作業を開始せずに、出力枚数設定モードに移行することを特徴とする請求項７〜１０のいずれか一つに記載の書込み装置。
【請求項１２】
前記モード切替手段を設けたシート移動距離設定手段と出力枚数設定手段とを兼用している場合に、
シート移動距離設定モード選択時に、直前の出力枚数設定値を記憶しておき、再度出力枚数設定モードに移行した場合は、記憶しておいたコピー枚数設定値を表示することを特徴とする請求項７〜１１のいずれか一つに記載の書込み装置。
【請求項１３】
前記モード切替手段を設けたシート移動距離設定手段と出力枚数設定手段とを兼用している場合に、
前記出力枚数設定モード選択時に、直前のシート移動距離設定モードの設定値を記憶しておき、再度シート移動距離設定モードに移行した場合は、記憶しておいたシート移動距離設定モードの設定値を表示することを特徴とする請求項７〜１２のいずれか一つに記載の書込み装置。
【請求項１４】
使用者に知らせるための報知手段をさらに設け、
前記シート移動距離設定手段による筆記シート移動状態からの停止時、元の位置にシートを移動させた時の停止時、複数回のシート移動を設定した場合の２本目以降の設定距離移動開始前の少なくとも１つの場合に、前記報知手段により報知することを特徴とする請求項１〜１３のいずれか一つに記載の書込み装置。
【請求項１５】
前記シート移動距離設定手段の初期値は、表示枠の概１画面分としたことを特徴とする請求項１、５、７または１４のいずれか一つに記載の書込み装置。
【請求項１６】
前記筆記シートの搬送方向に平行な表示粋にシート移動距離設定手段に対応したスケール部を設けたことを特徴とする請求項１、５、７または１４のいずれか一つに記載の書込み装置。
【請求項１７】
前記シート移動距離設定手段の設定単位は、前記筆記シートに予め印刷してあるマス目としたことを特徴とする請求項１、５、７、１４または１６のいずれか一つに記載の書込み装置。
【請求項１８】
前記ペン保持手段は、搬送方向と直交する方向に移動させて表示枠外に退避可能にしたことを特徴とする請求項１〜１７のいずれか一つに記載の書込み装置。
【発明の詳細な説明】
【技術分野】
【０００１】
本発明は、搬送可能な筆記シートの搬送方向に直線を引けるようにした書込みに関するものである。
【背景技術】
【０００２】
従来より、手書きの文字や絵などを何度でも書込んだり消去可能な筆記シートを用いて、搬送可能に構成した電子黒板やお絵書きボードでは、その搬送方向に直線を引く場合に、使用者が筆記シートを操作して引く直線の先端位置、終端位置、およびその長さを正確に位置合わせする必要があった。
【０００３】
例えば、特許文献１では、別途罫引装置を用意する必要があることから、電子黒板の表示枠に罫引装置を固定するためのレールが設けられていた。
【０００４】
また、特許文献２においても、別途罫引装置を用意し、上記特許文献１のように電子黒板の表示枠にレール等を設ける必要はないが、罫引装置自身を使用中に電子黒板から脱落しないように保持すると共に、電子黒板の左右方向に移動可能としたり、ペンホルダを電子黒板の上下方向に移動可能としたり、そのペンホルダ自身を保持するための構造を有するものであった。
【０００５】
【特許文献１】特開昭６４−４２２９８号公報
【特許文献２】特開平１０−２９３９８号公報
【発明の開示】
【発明が解決しようとする課題】
【０００６】
しかしながら、このような背景技術にあっては、筆記シートの搬送方向に直線を引く場合、使用者が筆記シートを操作して、引く直線の先端位置、終端位置、および長さを正確に位置合わせしなければならず、その作業は難しく、時間がかかる上、位置合わせを間違えると所定の位置からはみ出した線を消す作業が必要になるという問題があった。
【０００７】
また、引く直線の本数が多い場合は、筆記シートを戻し方向に移動させたり、送り方向へ移動させたりする操作を何度も繰り返さなくてはならないため、引く直線の本数に比例してキー操作回数が多くなるという操作性の問題があった。
【０００８】
さらに、複数画面分の筆記シートをエンドレス式に搬送可能に構成されている場合、例えば数画面分にまたがる直線を引いた後で元の位置に戻す際に、そのまま送り方向へ移動させるのが良いか、戻し方向に移動させた方が良いかの判断が難しく、その判断を誤ると筆記シートの移動に無駄な時間を費やすという問題があった。これは、電子黒板の筆記シートの長さが機種によって２画面、４画面など色々あって、当該機種の筆記シートの長さを知らないと正確な判断ができないからである。
【０００９】
また、上記特許文献１の場合は、電子黒板の表示枠に罫引装置を固定するためのレールが設ける必要があることから、構造が複雑となり、部品点数が増えることで、その分のコストが高くなる問題があった。
【００１０】
また、上記特許文献２の場合は、特許文献１のような罫引装置を固定するレールは必要ないが、ぺンホルダを移動可能に保持する構造が依然として必要になることから、構造が複雑となり、部品点数が増え、高コストになる点で同様であった。特に、特許文献２では、ペンホルダ自体を縦横に移動させなくてはならないため、罫引き操作が面倒であるという問題があった。
【００１１】
本発明は、上記に鑑みてなされたものであって、より構造が簡単で部品点数が少なく、低コスト化できると共に、操作性が良く、所望の直線を何本でも容易かつ正確に引くことのできる書込み装置を提供することを目的とする。
【課題を解決するための手段】
【００１２】
上述した課題を解決し、目的を達成するために、請求項１にかかる発明は、表示枠内に搬送可能に張り渡した無限軌道状の筆記シートと、前記筆記シートを搬送方向に移動させる移動手段と、前記移動手段を制御する移動制御手段と、前記筆記シートの搬送方向にペンを使って直線を引くため、表示枠またはそれに取り付けて搬送方向と直交する方向に移動自在に配置され、前記ペンの書込み位置を位置決めするペン保持手段と、前記筆記シートの移動距離が設定可能な筆記シートのシート移動距離設定手段と、を備えたことを特徴とする。
【００１３】
また、請求項２にかかる発明は、請求項１に記載の書込み装置において、前記移動制御手段は、前記シート移動距離設定手段で設定された移動距離だけ筆記シートを移動させた後、停止させることを特徴とする。
【００１４】
また、請求項３にかかる発明は、請求項１に記載の書込み装置において、前記移動制御手段は、前記シート移動距離設定手段で設定された移動距離だけ筆記シートを移動させた後、一定の移動停止時間を設け、移動停止時間後に移動させた筆記シートを元の位置に戻すように移動制御することを特徴とする。
【００１５】
また、請求項４にかかる発明は、請求項３に記載の書込み装置において、前記移動制御手段は、前記シート移動距離設定手段で設定された移動距離だけ筆記シートを移動させた後、一旦停止し、移動した筆記シートを元の位置に戻す際に、移動距離に応じて、筆記シートを送り方向に移動させるか、戻し方向に移動させるかを判断し、少ない移動距離で元の位置に戻る方向に移動させるように制御することを特徴とする。
【００１６】
また、請求項５にかかる発明は、請求項１に記載の書込み装置において、前記シート移動距離設定手段は、前記筆記シートの移動回数が設定可能な移動回数設定手段を併せ持っていることを特徴とする。
【００１７】
また、請求項６にかかる発明は、請求項５に記載の書込み装置において、前記移動制御手段は、前記移動回数設定手段によって設定された移動回数分だけ筆記シートを移動させる際に、筆記シートを元の位置に移動させた後、移動停止時間を設け、再度設定されている移動距離だけ筆記シートを移動させるように制御することを特徴とする。
【００１８】
また、請求項７にかかる発明は、請求項５に記載の書込み装置において、前記筆記シートに記載された画像を読込む画像読込み手段と、前記画像読込み手段で読込んだ画像を印字出力する出力手段と、前記出力手段からの出力枚数を設定する出力枚数設定手段と、をさらに備え、前記シート移動距離設定手段には、前記出力枚数設定手段と前記移動回数設定手段の少なくとも一方の機能を併せ持つと共に、何れかの機能を選択的に切り替えて使用するモード切替手段を備えていることを特徴とする。
【００１９】
また、請求項８にかかる発明は、請求項７に記載の書込み装置において、前記モード切替手段を設けたシート移動距離設定手段と出力枚数設定手段とを兼用している場合に、前記モード切替手段の初期設定モードを出力枚数設定モードとしていることを特徴とする。      
【００２０】
また、請求項９にかかる発明は、請求項７または８に記載の書込み装置において、前記モード切替手段を設けたシート移動距離設定手段と出力枚数設定手段とを兼用している場合に、前記シート移動距離設定モード選択時に、一定時間内にシート移動距離設定入力およびシート移動開始に関する入力がない場合は、前記モード切替手段によって出力枚数設定モードに移行することを特徴とする。
【００２１】
また、請求項１０にかかる発明は、請求項７〜９のいずれか一つに記載の書込み装置において、前記モード切替手段を設けたシート移動距離設定手段と出力枚数設定手段とを兼用している場合に、前記シート移動距離設定モード選択時に、出力開始キーが押下されても出力作業を開始しないことを特徴とする。
【００２２】
また、請求項１１にかかる発明は、請求項７〜１０のいずれか一つに記載の書込み装置において、前記モード切替手段を設けたシート移動距離設定手段と出力枚数設定手段とを兼用している場合に、前記シート移動距離設定モード選択時に、出力開始キーが押下されても出力作業を開始せずに、出力枚数設定モードに移行することを特徴とする。
【００２３】
また、請求項１２にかかる発明は、請求項７〜１１のいずれか一つに記載の書込み装置において、前記モード切替手段を設けたシート移動距離設定手段と出力枚数設定手段とを兼用している場合に、シート移動距離設定モード選択時に、直前の出力枚数設定値を記憶しておき、再度出力枚数設定モードに移行した場合は、記憶しておいたコピー枚数設定値を表示することを特徴とする。
【００２４】
また、請求項１３にかかる発明は、請求項７〜１２のいずれか一つに記載の書込み装置において、前記モード切替手段を設けたシート移動距離設定手段と出力枚数設定手段とを兼用している場合に、前記出力枚数設定モード選択時に、直前のシート移動距離設定モードの設定値を記憶しておき、再度シート移動距離設定モードに移行した場合は、記憶しておいたシート移動距離設定モードの設定値を表示することを特徴とする。
【００２５】
また、請求項１４にかかる発明は、請求項１〜１３のいずれか一つに記載の書込み装置において、使用者に知らせるための報知手段をさらに設け、前記シート移動距離設定手段による筆記シート移動状態からの停止時、元の位置にシートを移動させた時の停止時、複数回のシート移動を設定した場合の２本目以降の設定距離移動開始前の少なくとも１つの場合に、前記報知手段により報知することを特徴とする。
【００２６】
また、請求項１５にかかる発明は、請求項１、５、７または１４のいずれか一つに記載の書込み装置において、前記シート移動距離設定手段の初期値は、表示枠の概１画面分としたことを特徴とする。
【００２７】
また、請求項１６にかかる発明は、請求項１、５、７または１４のいずれか一つに記載の書込み装置において、前記筆記シートの搬送方向に平行な表示粋にシート移動距離設定手段に対応したスケール部を設けたことを特徴とする。
【００２８】
また、請求項１７にかかる発明は、請求項１、５、７、１４または１６のいずれか一つに記載の書込み装置において、前記シート移動距離設定手段の設定単位は、前記筆記シートに予め印刷してあるマス目としたことを特徴とする。
【００２９】
また、請求項１８にかかる発明は、請求項１〜１７のいずれか一つに記載の書込み装置において、前記ペン保持手段は、搬送方向と直交する方向に移動させて表示枠外に退避可能にしたことを特徴とする。
【発明の効果】
【００３０】
請求項１にかかる書込み装置は、筆記シートのシート移動距離設定手段を設けることにより、筆記シートの設定距離を移動制御することが可能となり、筆記シー卜の搬送方向と同一方向に、設定距離分の直線を引くことが可能となる。また、複数本の直線を引く場合でも、長さのバラツキが発生しない。
【００３１】
請求項２にかかる書込み装置は、筆記シートを設定された移動距離移動した後に、停止させることで、ペン保持手段からペンを離すタイミングを使用者に認識させることでき、停止中に書込みペンの操作を行って、線の歪みやその他の誤記記載等を防ぎ、予め設定した長さの直線を正確に引くことができる。
【００３２】
請求項３にかかる書込み装置は、筆記シートを設定された移動距離だけ移動させた後に、一旦停止させ、さらに筆記シートを元の位置に戻すことにより、複数本の直線を引くことが可能となり、直線の先端を揃えるため、意識して筆記シートを移動させる必要がなくなって、操作の煩わしさがなくなる。また、筆記シートを元の位置に戻すためのキー操作の作業量が減り、良好な操作性と作業の時間短縮が可能となる。
【００３３】
請求項４にかかる書込み装置は、筆記シートを設定された移動距離だけ移動させた後、一旦停止し、さらに筆記シートを元の位置に戻す制御を行う場合に、移動した距離に応じて、筆記シートを送り方向に移動させるか、戻し方向に移動させるかを判断することで、常に移動距離が短くて済む方向の選択が可能となり、元の位置に戻るまでの時間が短縮され、作業性を向上させることができる。
【００３４】
請求項５にかかる書込み装置は、シート移動距離設定手段は、移動回数設定手段を併せ持つことにより、複数本の直線を引く時に筆記シートを移動させる操作を繰り返し行う必要がなくなり、操作性が向上し、作業時間を短縮することが可能となる。
【００３５】
請求項６にかかる書込み装置は、移動回数設定手段によって設定された回数分だけ筆記シートを移動させる際に、筆記シートを元の位置に移動させた後、再度設定されている移動距離移動する前に、移動停止時間を設けたことにより、使用者がペンをペン保持手段に位置決めするための時間を確保することができ、複数本の直線を記載することが可能となる。
【００３６】
請求項７にかかる書込み装置は、モード切替手段を設けて、シート移動距離設定手段と既存の出力枚数設定手段とを兼用することにより、個々に設けた場合よりも使用部品を削減することができると共に、操作部が小型化し、コストダウンを図ることができる。
【００３７】
請求項８にかかる書込み装置は、使用頻度の高い一般的な出力枚数設定手段を機械の初期設定モードに設定し、特殊モードであるシート移動距離設定手段を選択的にすることで、例えば文字のみを記載して、表等に使用する直線を記載しない使用者に対しては、特別な操作を行わせることがなくなり、一般的な使用者にとって使い易い装置とすることができる。
【００３８】
請求項９にかかる書込み装置は、特殊モードであるシート移動距離設定モードの設定時に、一定時間そのモードに関する操作が行われなかった場合は、一般的な出力枚数設定モードに自動的に移行するようにしたので、使用者の誤操作を防ぐことが可能となり、誤操作による時間の無駄使いを無くすことができる。また、使用する度にモードの確認を行う煩わしさがなくなる。
【００３９】
請求項１０にかかる書込み装置は、シート移動距離設定モード選択時に、出力開始キーを押下するという使用者の誤操作を使用者に認識させることができ、シート移動距離設定モード時の表示値と、コピー枚数設定値とは一致していない場合が殆どであり、無駄なコピー作業を行うことになるため、それを防止することができる。
【００４０】
請求項１１にかかる書込み装置は、出力開始キーが押下されたことで、出力枚数設定モードに自動的に移行することにより、使用者はモード変更作業を行う必要が無くなり、印字出力作業の手間を軽減することが可能となる。
【００４１】
請求項１２にかかる書込み装置は、移動距離設定モード移行時に、直前の出力枚数設定値を記憶し、再度出力枚数設定モード移行時に、記憶しておいた出力枚数を表示することにより、予め出力枚数を設定しておいた場合等、新たに出力枚数を設定する煩わしさが無くなり、作業効率が向上する。
【００４２】
請求項１３にかかる書込み装置は、出力枚数設定モード移行時に、直前のシート移動距離設定値を記憶し、再度移動距離設定モード移行時に記憶しておいた移動距離を表示することにより、表等に直線を追記したり、別のページに同様の表等を記載する場合などに、新たに移動距離を設定する煩わしさが無くなり、作業効率が向上する。
【００４３】
請求項１４にかかる書込み装置は、報知手段により報知することにより、使用者がペン保持手段の位置決め部に対して、書込みペンを離すタイミングや保持するタイミングがより明確になり操作性がよくなる。特に、複数回のシート移動を設定した場合に、２本目以降の設定距離移動開始時は、使用者にはいつ筆記シートが動き出すか判らないことから戸惑ってしまい、筆記シートが動き出す前に報知することで、筆記シートの移動を予告することができ、使用者はシート移動に関する準備が可能となる。
【００４４】
請求項１５にかかる書込み装置は、シート移動距離設定手段の初期値を、表示枠の概１画面分としたことにより、使用者の移動距離設定作業を軽減させることができる。また、１画面分の移動距離設定値が容易に認識可能となるため、使用者自身が引きたい直線の長さの認識も容易となる。例えば、引きたい直線の長さが画面の半分程度であれば、初期値の半分を設定するだけで済むという利点がある。
【００４５】
請求項１６にかかる書込み装置は、筆記シートの搬送方向に平行な表示粋にシート移動距離設定値設定手段に対応したスケール部を設けたことにより、使用者が引きたい直線の長さを容易に判断することができ、設定値を入力することによる時間の無駄を省くことができる。
【００４６】
請求項１７にかかる書込み装置は、マス目をシート移動距離設定手段の設定単位とすることにより、設定桁数を少なくすることが可能となり、他の設定手段と兼用させて、部品点数を少なくし、表示装置を小型化することができる。
【００４７】
請求項１８にかかる書込み装置は、ペン保持手段を筆記シートの搬送方向と直交する方向に移動させて、表示枠外に退避可能としたことにより、表示枠内に突出するものがなくなり、表示枠を利用して筆記シートの搬送方向と直交する縦方向の直線を引くことができる。
【発明を実施するための最良の形態】
【００４８】
以下に、本発明にかかる書込み装置の実施例を図面に基づいて詳細に説明する。なお、この実施例によりこの発明が限定されるものではない。
【実施例】
【００４９】
図１は、本発明の書込み装置の一実施例である電子黒板装置の全体外観図であり、図２は、図１のＡ−Ａ線断面図であり、図３は、図１の操作部の一構成例を示す詳細図であり、図４は、図１の電子黒板装置の概略構成を説明する制御ブロック図であり、図５は、図１の位置決め部のペン保持部に書込みペンを保持させた状態を示す断面図であり、図６−１は、図１の位置決め部のレール部上端に設けられた待避部にペン保持部が待避する前の状態図であり、図６−２は、図１のレール部上端に設けられた待避部にペン保持部が待避した後の状態図であり、図７は、図１の筆記シートに５ｃｍ角のマス目を入れて実施した電子黒板装置の全体外観図である。
【００５０】
まず、図１に示す電子黒板装置１は、表示枠２によって構成される書込み窓３の内側に、不図示の書込みペンを使って自由に文字や絵などの書込みと消去が可能な筆記シート４が搬送可能に配置されている。ここでは、図２に示すように、筆記シート４に４画面の工ンドレスシート（無限軌道状につながったシート）が採用されている。
【００５１】
また、図１の筆記シートの走行方向（図１に向かって左右方向）に直交する縦方向の表示枠２には、不図示の書込みペンを固定し、そのペン先を位置決めするための位置決め部５が配置されている。この位置決め部５は、表示枠２を利用したレール部５ａ、このレール部５ａに沿って筆記シート４の走行方向に直交する方向の任意の位置に移動可能なスライド部５ｂ、このスライド部５ｂと一体化して移動可能な書込みペンを保持するペン保持部５ｃ、このペン保持部５ｃを筆記シート４の外に待避させるためのスライド部５ｂの待避部５ｄ、レール部５ａの直近の表示枠２側に設けられ、スライド部５ｂの位置合わせの目安となるスライド部用スケール部５ｅ、および、シート走行方向の表示枠２に設けられ、引く直線の長さの目安となる筆記シート移動距離用スケール部５ｆなどを備えている。
【００５２】
さらに、表示枠２の下部には、電子黒板装置１を操作するための操作部６ａを備えた電装ボックス６が設けられ、筆記シートに書かれた内容を記録するためのプリンタ７、そのプリンタ７をスタンド部に固定するためのアーム８、電子黒板装置本体を支えるスタンド部９、および、電子黒板装置本体を移動可能に支持するためのキャスタ１０などを備えている。
【００５３】
図１の電子黒板装置本体の内部構造は、図２に示すように、筆記シート４に４面のエンドレスシートが使用されており、表示枠２内の筆記シート４の背後には、書込み時に筆記シートを支える下敷きの役目を果たすシートボード１１が配置されている。そして、この筆記シート４は、４面分のエンドレスシートが４つのローラに掛け渡され、これらを回転させることで、送り方向や戻し方向に搬送させることができる。４つのローラのうち、移動ローラ１２は、ここでは正確な回転制御が可能なステッピングモータからなるシートモータ１６によって電気的に駆動され、不図示の駆動ベルト、プリー、ギヤなどを使って動力を伝達している。他の３つの従動ローラ１３、１４、１５については、筆記シート４が移動ローラ１２によって移動するのに伴って従動回転するようになっている。なお、図２では図示していないが、従動ローラ１３にはシートテンション機構が設けられていて、筆記シート４に常に一定の張力がかかるように付勢されている。
【００５４】
また、シートボード１１の後側には、筆記シート４上に書込まれた画像情報を読取るための読取りラインが設けられている。この読取りラインには、光源１７、ミラー１８、レンズ１９、光電変換を行うＣＣＤ（固体撮像素子）から成る光学読取り部２０が配置されている。すなわち、光源１７から発した光は、筆記シート４で反射され、書込まれた画像をミラー１８で反射させ、レンズ１９を使って光学読取り部２０のＣＣＤの結像面に像を結ぶようにして、筆記シート４上に書き込まれた画像を電気信号に変換することができる。
【００５５】
図３に示す操作部６ａのキーとしては、電子黒板装置１の電源のＯＮ／ＯＦＦを行う電源キー２１、筆記シートの送り方向へ移動開始および移動中の停止入力を行う送り／停止キー２２、筆記シートの戻し方向への移動開始および移動中の停止入力を行う戻し／停止キー２３、プリンタ７のへッドをクリーニングするクリーニングキー２４、読取り画像の読取り濃度を調節する濃度キー２５、コピーモードの選択を行うコピ一モードキー２６、コピー作業を途中で停止させるためのコピーストップキー２７、７ｓｅｇＬＥＤの表示内容のモードを切替えるモード切替キー２８、１０の位の７ｓｅｇＬＥＤの表示値を切替える数値×１０キー２９、１の位の７ｓｅｇＬＥＤの表示値を切替える数値×１キー３０、および、コピー作業を開始するためのコピースタートキー３１を備えている。
【００５６】
また、図３に示す操作部６ａの表示ＬＥＤとしては、電源が入っている時に点灯する電源ＬＥＤ３２、紙詰まりなどの発生時に点灯するエラーＬＥＤ３３、クリーニングキー２４が押下され、プリンタヘッドのクリーニング中に点灯するクリーニングＬＥＤ３４、濃度キー２５が押下され、濃いＬＥＤ３５が点灯した場合は、筆記シート４に記載された画像を濃い濃度で読取り、薄いＬＥＤ３６が点灯している時は、筆記シート４に記載された画像を薄い濃度で読取っていることを示している。両方のＬＥＤが共に消灯している場合は、普通の混度で読み取っていることを表している。コピーモードキー２６が押下され、追加モードＬＥＤ３７が点灯した場合は、直前にコピーされたものをコピーすることを示し、２ページ集約モードＬＥＤ３８が点灯した場合は、筆記シート２画面分がＡ４サイズ１枚にコピーすることを示し、４ページ集約モードＬＥＤ３９が点灯した場合は、４画面分がＡ４サイズ１枚にコピーすることを示し、４ページ連続モードＬＥＤ４０が点灯した場合は、１画面分をＡ４サイズ１枚にコピーし、４画面連続で計４枚のコピーを取ることを示している。
【００５７】
さらに、この実施例では、上記したモード切替キー２８を設けたことにより、筆記シー卜の移動距離設定手段とコピー枚数設定手段とを兼ねるようにしている。図３のコピー枚数ＬＥＤ４１、シート移動距離ＬＥＤ４２、移動回数ＬＥＤ４３の点灯状況によって、２桁の数値表示が行われる。つまり、７ｓｅｇＬＥＤ４４の表示の意味がモードによって異なってくる。例えば、コピー枚数ＬＥＤ４１の点灯時は、コピー枚数設定モードであって、７ｓｅｇＬＥＤ４４は、コピー枚数値を表示している。また、シート移動距離ＬＥＤ４２の点灯時は、シート移動距離設定モードであって、例えば、今回は移動距離の長さの単位をマス目に換算したものである。移動回数ＬＥＤ４３の点灯時は、シート移動距離設定モードの一部であるシート移動回数設定モードで、シート移動回数を表示している。
【００５８】
上記したように、移動距離の設定をマス目の数とした理由は、設定する値の桁数を減らすためである。このように、設定値の桁数を減らすことで、表示用の７ｓｅｇＬＥＤの桁数を少なくして操作部６ａなどが大型化するのを防ぐことができる上、コストアップも防ぐことができる。特に、電子黒板装置１の場合は、図１に示すように横幅が広く、通常サイズで１００ｃｍ以上になるため、設定する単位をｃｍにすると、３桁程度の表示が必要となる。仮に、２桁程度に収まる大きさであったとしても、複数面タイプ（ここでは、４面タイプ）の筆記シートを用いると１００ｃｍを越えるため（ここでは、４面の筆記シートの長さは５００ｃｍ程度はある）、やはり３桁程度の表示が必要になってくる。
【００５９】
このように、本実施例では、後述する図７に示すように、マス目を記載した筆記シート４を用いることも可能である。マス目の効果としては、上記以外にも、電子黒板装置の通常使用者が文字などを書込み易くするための利点がある。図７の場合は、５×５ｃｍのマス目を使用している。この場合、筆記シートの移動距離をマス目の数で設定することにより、設定値はｃｍで設定する場合の１／５にすることが可能である。つまり、７ｓｅｇＬＥＤを２つ使った２桁だけで実際上必要な移動距離４９５ｃｍが設定可能となり、本実施例の電子黒板装置１で用いられる筆記シート４面全域をカバーすることができるため、表示桁数を１桁減らすことができる。
【００６０】
また、図３の操作部６ａのモード切替えは、モード切替キー２８を押下することにより切替える。機械初期設定は、コピー枚数ＬＥＤ４１が点灯したコピ一枚数設定モードであって、モード切替キー２８が押下されることにより、順次、シート移動距離ＬＥＤ４２、移動回数ＬＥＤ４３が点灯するように切替っていき、これに伴ってモード、および７ｓｅｇＬＥＤ４４もこれに対応した値に切替わるようになっている。
【００６１】
７ｓｅｇＬＥＤ４４の値を変更する場合は、１０の位の７ｓｅｇＬＥＤの表示値を切替える数値×１０キー２９、１の位の７ｓｅｇＬＥＤの表示値を切替える数値×１キー３０をそれぞれ押下することにより、任意の値に変更することができる。
【００６２】
コピー枚数設定モード時は、機械初期設定値が１であり、数値×１キー３０が押される毎に表示値が＋１され９の次は１に戻る。コピー枚数の設定を１０枚以上できるようにする場合は、９の次は０とし、その次は１に切替わるようにする。
【００６３】
また、シー卜移動距離設定モード時は、シート移動距離設定値の機械初期値が略１画面分のマス目に相当する２５マス（２５×５ｃｍ＝１２５ｃｍ）であリ、数値×１キー３０が押下される毎に対応した７ｓｅｇＬＥＤの桁数の表示値は、＋１され９の次は０で、その次は１に切替っていく。また、数値×１０キー２９による１０の位は、０表示はなく、９の次に消灯し、その次に１に切替わる。
【００６４】
さらに、移動回数設定モード時は、シート移動回数設定値の機械初期値が１であり、数値×１キー３０が押下される毎に表示値は＋１され、９の次は１に戻る。但し、７ｓｅｇＬＥＤの１０の位に数字が入力されている場合のみ０表示が可能となる。
【００６５】
このように、本実施例では、コピー枚数設定手段とシート移動距離設定手段とシート移動回数設定手段とを兼用させるようにしたので、数値表示用の７ｓｅｇＬＥＤ４４を兼用することが可能となり、個々に表示部を持たせる場合と比べて、設置面積や部品コストを大幅に低減することができる。
【００６６】
なお、本実施例では、移動距離の長さをマス目で設定するようにしたが、本発明は必ずしもこれに限定する趣旨ではなく、一般的なｃｍで設定しても良く、また、１画面分の何分の１というように、マス目とは異なる長さの表現で設定するように構成することも勿論可能である。
【００６７】
また、上記実施例では、シート移動距離とコピ一枚数とを表示する表示手段（７ｓｅｇＬＥＤ）をモード切替えで兼用するようにしたが、数値表示が可能な表示手段（例えば、液晶ディスプレイ等）が搭載されていれば、これと兼用させることも可能である。
【００６８】
次に、電子黒板装置１の制御を行うメイン制御部４５の構成について、図４を用いて説明する。図４に示すメイン制御部４５は、図１の電装ボックス６の内部に配置されており、光学読取り部２０、操作部６ａ、プリンタ７、および、シートモータ１６などの他、不図示の光源や光源点灯装置、あるいは、それらに電源を供給する電源部などが接続されている。
【００６９】
メイン制御部４５には、中央演算装置であるＣＰＵ４６、制御プログラムを格納しているＲＯＭ４７、画像データやその他設定値（パラメータ）等を一時的、あるいは書替えが行われるまで記憶しておくＲＡＭ４８、画像データ等を処理するゲートアレイ４９、使用者に対して音で報知する報知手段としてブザー５０などが搭載されている。もちろん、報知手段はこれに限定されず、操作部６ａ上のＬＥＤなどを点灯表示することにより、使用者に一定の状態を知らせる構成を採用しても良い。しかし、ブザー音による報知は、よそ見をしていたり、常に表示を見ていなくても気が付くという利点がある。このため、より好ましくは、ブザーとＬＥＤといった視覚と聴覚の両方に訴えられる手段の組合わせを採用することで、一層確実性のある報知手段が得られる。
【００７０】
また、位置決め部５のスライド部５ｂにおけるペン保持部５ｃは、その湾曲部に書込みペン５１を添え、ペン先が筆記シート４に接触する位置でペン先の位置決めを行い、使用者が手で書込みペン５１を保持するようにして使用する。この状態で筆記シート４を所定距離だけ移動させると、シート移動方向に平行で、移動距離に応じた長さの直線５２を正確かつ容易に引くことができる。
【００７１】
さらに、図６−１に示すように、位置決め部のレール部５ａの最上端部には、退避部５ｄが設けられ、レール部５ａを上下方向に摺動可能なスライド部５ｂとその先のペン保持部５ｃとを、図６−２に示すような位置まで退避させると、垂直方向の書込み窓３ａから突出（突出部５ｇ）していたスライド部５ｂの先端のペン保持部５ｃが無くなり、垂直方向の書込み窓３ａのストレート部を確保することが可能となる。この書込み窓３ａのストレート部を縦線を引く定規として使用すれば、綺麗な垂直線を引くことが可能となる。
【００７２】
また、所定の間隔でマス目が予め印刷された筆記シート４を用いると、図７に示すような電子黒板装置１を構成することが可能となり、使用者はこのマス目を利用することで文字等が書込み易くなる上、本発明の特徴である筆記シート４の移動距離を設定して、所定の長さの直線を引く場合に、シート移動距離をｃｍ単位で設定するのではなく、マス目の数を使って設定することにより、コピー枚数設定や移動回数設定などで使われる２桁の７ｓｅｇＬＥＤの設定表示部を兼用することが可能となる（図３参照）。
【００７３】
本発明の書込み装置（電子黒板装置）は、以上のように構成されており、この図１〜図７に基づいて概略動作を説明してから、図８〜図２７のフローチャートを用いて、さらに詳細な動作説明を行うことにする。
【００７４】
まず、使用者が図３の操作部６ａのモード切替キー２８によってコピ一枚数設定モードを選択した時、コピースタートキー３１が押下されると、操作部６ａに表示されているモードにそって筆記シート４に記載された画像のコピー作業がスタートされる。コピースタートキー３１が押下されると、図４のメイン制御部４５のＣＰＵ４６がゲートアレイ４９に対してコピー開始を通知する。これと同時に、ＣＰＵ４６は、シートモータ１６を駆動して筆記シート４を搬送させることにより、送り方向に移動させる。
【００７５】
筆記シート４の送り位置が所定の読取り開始位置まで来ると、光学読取り部２０によって読み取られた画像情報がゲートアレイ４９に送られ始め、プリンタ７の印字動作が開始される。
【００７６】
このシートモータ１６には、ステッピングモータが使用されている。このステッピングモータは、周知のとおり与えられたパルス分だけ回転するため、シートモータ１６と筆記シート４の移動ローラ間のプリーやギヤ等の比によって、シートモータ１６に与えられるパルス数からシート移動距離を容易に求めることができる。
【００７７】
選択されているコピーモードによってシートモータ１６に与えられるパルス数は変化する。例えば、通常の１画面分のコピーの場合は、筆記シート４を１画面分だけ移動させるためのパルスがシートモータ１６に与えられる。２ページ集約モードや４ページ集約モードでは、各々２画面分、あるいは、４画面分移動させるためのパルスがシートモータ１６に与えられる。
【００７８】
また、コピー枚数設定モードの場合は、送り／停止キー２２と戻し／停止キー２３とを１回ずつ押下することにより、各々の方向に１画面分だけ筆記シート４を移動させることができる。
【００７９】
移動距離設定モード時は、移動距離と移動回数とを設定した後、送り／停止キー２２、または戻し／停止キー２３を押下することにより、筆記シート４の移動が開始する。設定された移動距離設定値分だけ送り方向、あるいは、戻し方向に筆記シー卜４を移動した後、移動終了を報知し、予め設定した時間だけ筆記シート４を停止させる。そして、予め設定した停止時間の終了前（例えば、ここでは１秒前）に、シートモータ１６の移動開始の予告である報知をブザー５０などで行い、停止時間終了後、筆記シート４を送り／停止キー２２、または、戻し／停止キー２３が押される前の位置に移動させて、筆記シート４を停止し、移動終了を報知する。
【００８０】
ここで、移動回数設定値が１回の場合は、一連の動作は終了する。また、移動回数設定値が２回以上の場合は、停止時間も予め設定されているため、機械側は、停止時間の終了前（例えば、１秒前）に、シートモータ１６の移動開始の予告である報知を行って、１回目と同様に筆記シート４の移動を開始し、移動回数設定分だけ繰返し行い、一連の動作を終了する。
【００８１】
実際の撮作方法は、以下のようになる。書込みたい直線の長さと本数を決め、モード切替キー２８を押下して、シート移動距離設定モードに切替え、シート移動距離と移動回数とを設定する。書込みたい直線の長さは、筆記シート４の走行方向に平行な表示枠２に筆記シート移動距離用スケール部５ｆが設けられているため、容易に認識することができる。
【００８２】
そこで、レール部５ａ上でスライド部５ｂを移動させ、その先端のペン保持部５ｃを直線の引きたい任意の位置に設置し、図５に示すように、ペン保持部５ｃの湾曲部分に書込みペン５１を沿えて、ペン先が簿記シート４に接触する位置でペン先の位置決めを行い、手で書込みペン５１を保持する。その状態で戻し／停止キー２３を１回押下すると、設定した距離だけ筆記シート４が移動するため、移動距離に相当する所望の長さの直線を締麗に引くことができる。
【００８３】
筆記シート４の移動後は、移動終了を報知し、一定時間停止した後、再度、移動を開始して元の位置に戻る。この時、移動を開始する前（例えば、１秒前）に筆記シート４の移動開始予告を報知する。また、元の位置に戻った時も、移動終了を報知する。従って、使用者は、移動距離分だけ移動した後から、再度移動を開始するまでの間の２回報知する間に、書込みぺン５１を保持するのを止め、ペンを筆記シート４から離すようにする。
【００８４】
仮に、ペンを保持したままにすると、継続して線の書込みが行われ、二度書き、あるいは、余分な線を引いてしまうことがある。そこで、これを防ぐため、設定距離だけ移動させた後、および、再び移動させる前に、使用者に対して報知することでペンの保持終了を明確に知らせて、線の書込みを終了させるようにする。
【００８５】
移動回数が２回以上設定されている場合については、１本自の線を引き終えて、ペンを筆記シート４より離してから、ペン保持部５ｃを２本目の線を引きたい位置に移動させ、２本目の筆記シー卜４の移動に備える。１本目の線引きが終了し、元の位置に移動した後も移動終了を報知し、２本目の移動開始前（例えば、１秒前）にも報知するため、その間に使用者は、１本目と同様に書込みペン５１をペン保持部５ｃにセットして、線引きを行うことができる。以上述べた動作は、設定回数分だけ行うことができる。
【００８６】
書込みペン５１をペン保持部５ｃにセットして線引きを行う場合、筆記シートを送り方向と戻し方向のいずれの方向に移動させても直線を引くことができるが、本実施例では、図１および図７に示すように、書込みペン５１を保持するペン保持部５ｃが、書込み窓３の左側にあるような場合は、常に戻し／停止キー２３を押下して筆記シート４を戻し方向に移動させながら線を引くことが望ましい。その理由は、書込んだ線を見ながら操作することができることと、筆記シート４を移動させる力が書込みペン５１のペン先に直接掛からない方向であることから、ペン先の寿命を延ばすことが可能だからである。
【００８７】
また、表等を作成する際に縦線を引く場合は、図６−１および図６−２に示すように、スライド部５ｂをレール部５ａの上端部に設けられた退避部５ｄに退避させるようにする。これは、図６−１に示すように、スライド部５ｂの先端のペン保持部５ｃが書込み窓３ａから突出（突出部５ｇ）しているため、垂直方向に線を引く際に邪魔になっていたが、ペン保持部５ｃを退避部５ｄに退避させたことにより、書込み窓３ａを垂直方向の定規として利用することにより、綺麗な垂直線を引くことが可能となる。
【００８８】
続いて、図８〜図２７は、本実施例に係る書込み装置の制御動作を説明するフローチャートである。図８は、書込み装置の制御処理のメインルーチンを示すフローチャートであり、図９は、図８の入力切替制御処理のサブルーチンを示すフローチャートであり、図１０は、図８のシート駆動制御処理のサブルーチンを示すフローチャートであり、図１１は、図１０のシート戻し制御処理に関するサブルーチンを示すフローチャートであり、図１２は、図１１のシート戻しジョブカウンタが０の場合の処理を説明するフローチャートであり、図１３は、図１１のシート戻しジョブカウンタが１の場合の処理を説明するフローチャートであり、図１４は、図１１のシート戻しジョブカウンタが２の場合の処理を説明するフローチャートであり、図１５は、図１１のシート戻しジョブカウンタが３の場合の処理を説明するフローチャートであり、図１６は、図１１のシート戻しジョブカウンタが４の場合の処理を説明するフローチャートであり、図１７は、図１１のシート戻しジョブカウンタが５の場合の処理を説明するフローチャートであり、図１８は、図１１のシート戻しジョブカウンタが６の場合の処理を説明するフローチャートであり、図１９は、図１０のシート送り制御処理に関するサブルーチンを示すフローチャートであり、図２０は、図１９のシート送りジョブカウンタが０の場合の処理を説明するフローチャートであり、図２１は、図１９のシート送りジョブカウンタが１の場合の処理を説明するフローチャートであり、図２２は、図１９のシート送りジョブカウンタが２の場合の処理を説明するフローチャートであり、図２３は、図１９のシート送りジョブカウンタが３の場合の処理を説明するフローチャートであり、図２４は、図１９のシート送りジョブカウンタが４の場合の処理を説明するフローチャートであり、図２５は、図１９のシート送りジョブカウンタが５の場合の処理を説明するフローチャートであり、図２６は、図１９のシート送りジョブカウンタが６の場合の処理を説明するフローチャートであり、図２７は、図８のコピー制御処理のサブルーチンを示すフローチャートである。
【００８９】
まず、図８において、書込み装置の動作を開始する場合は、ステップＳ１において、各種の初期化処理が行われる。初期化処理の具体例としては、初期モードとしてコピー枚数設定モードを設定し、併せてコピー枚数値の初期値を「１」に設定しておく。これによって、通常は、図３の操作部６ａの７ｓｅｇＬＥＤ４４がコピー枚数設定モードとなり、コピー枚数１が表示される。これによって、特別な操作を行う必要がなくなり、使用者にとって使いやすい書込み装置を提供することができる。
【００９０】
さらに、ステップＳ１では、移動距離の初期値を設定する。この移動距離の初期値は、筆記シート４の走行方向の概ね１画面分の長さを設定しておく。これにより、概ね１画面分の表等を作成する際に、設定値を入力する手間を省くことができる。また、１画面分の長さが判ることより、その他の値を設定する場合に大凡の見当を付けることができる。例えば、この実施例では、ステップＳ１に示すように、２５マスを設定する。これにより、移動距離設定作業が軽減されるとともに、１画面分の移動距離設定値が容易に認識可能となり、使用者自身が引きたい直線の長さも容易に認識することができる。
【００９１】
また、ステップＳ１では、移動回数の初期値を設定する。この移動回数の初期値は、１本の直線を引く場合を基本として、１回に設定してある。
【００９２】
このように、ステップＳ１で設定する初期値については、図４に示すメイン制御部４５に不揮発性ＲＡＭを搭載して、これに一旦記憶させておけば、電源を切った後でも当初設定された初期値を保持するため、初期値の書き換えを行わない限り繰り返し同じ値を利用することができる。また、使用者が変わったり、当初設定した初期値が適切でない場合は、使用者に合わせて初期値を変更することができる。図８のステップＳ１では、初期化処理の一例を例示したにすぎず、必要に応じて上記以外にも種々の初期設定値を設定することができる。
【００９３】
上記したステップＳ１の各種初期化処理に続くステップＳ２では、入力切替制御処理が行われ、ステップＳ３では、シート駆動（移動）制御処理が行われ、ステップＳ４では、コピー制御処理が行われ、ステップＳ４以降のその他の制御処理についてもサブルーチンとしてコールされる。
【００９４】
図８のステップＳ２における入力切替制御処理は、図９に示すように、移動距離回数設定モードとコピー枚数設定モードの入力切替を制御するサブルーチンである。まず、ステップＳ２０では、移動距離回数設定モードか否かが判断され、移動距離回数設定モードでなければコピー枚数設定モードと判断される（ステップＳ２０１）。
【００９５】
ステップＳ２０１におけるコピー枚数設定モードの場合は、コピー枚数設定モード時における表示（コピー枚数ＬＥＤをＯＮ、移動距離ＬＥＤをＯＦＦ、移動回数ＬＥＤをＯＦＦ、ＲＡＭより値を読み出し７ｓｅｇＬＥＤでコピー枚数値）を表示し、ステップＳ２０２に進む。ステップＳ２０２では、数値×１０キー２９、数値×１キー３０が押されたか否かを確認し、押下された場合は、ステップＳ２０３において７ｓｅｇＬＥＤの表示値を変更し、押されていない場合は、ステップＳ２０３をスキップして、ステップＳ２０４に進む。ステップＳ２０４においては、モード切替キーが押されたか否かを判断し、押された場合は、ステップＳ２０５に進んで、移動距離回数設定モードへ移行するための処理が行われる。すなわち、現在表示されているコピー枚数値をＲＡＭ４８へ保存し、モードを移動距離回数設定モードに設定する。
【００９６】
また、ステップＳ２０に戻って、移動距離回数設定モードの場合は、ステップＳ２１に進み、移動距離回数設定モードに移行してから一定時間、移動距離回数設定に関するキー入力、および、筆記シート移動のキー入力が無いか否かを判断し、入力が無い場合はステップＳ２１１に進んで、コピー枚数設定モードに移行する処理が行われる。つまり、ステップＳ２１１に列挙した各種ＬＥＤのＯＮ／ＯＦＦ、モード変更を報知するためのブザーＯＮ、移動距離設定値、移動回数設定値の現状の値をＲＡＭへの保存し、ＲＡＭに保存しておいたコピー枚数設定値を呼出して、７ｓｅｇＬＥＤ４４への表示し、モードをコピー枚数設定モードに設定する。このように、ステップＳ２１とステップＳ２１１の処理を行うことにより、使用者の誤操作を防ぐことができ、誤操作による時間の無駄使いを無くすことができる。その上、使用する度にモードを確認する煩わしさがなくなる。
【００９７】
また、ステップＳ２１に戻って、入力があった場合は、ステップＳ２２に進んで、コピースタートキー３１が押されたか否かを判断する。コピースタートキー３１が押された場合は、上記説明したステップＳ２１１に進み、コピー枚数設定モードに移行する処理が行われる。このように、ステップＳ２２、ステップＳ２１１、および、後述する図２７のステップＳ４２により、使用者の誤操作を防いで、無駄なコピー作業を防止したり、コピースタートキー３１が押されたことにより、コピー枚数設定モードに自動的に移行させることで、使用者がモード変更作業を行う必要がなくなり、コピー作業を軽減することができる。
【００９８】
また、ステップＳ２２に戻って、コピースタートキー３１が押されていない場合は、ステップＳ２３へ進み、移動距離設定が選択されているか否かが判断される。ここで、移動距離設定が選択されている場合は、ステップＳ２３１に進み、移動距離設定時の表示（コピー枚数ＬＥＤをＯＦＦ、移動距離ＬＥＤをＯＮ、移動回数ＬＥＤをＯＦＦ、ＲＡＭより値を読み出し７ｓｅｇＬＥＤで移動距離値）を表示し、ステップＳ２３２へ進む。ステップＳ２３２では、数値×１０キー２９、数値×１キー３０が押されたか否かを確認し、押された場合は、ステップＳ２３３において７ｓｅｇＬＥＤ４４の表示値を変更し、押されていない場合は、ステップＳ２３３スキップしてステップＳ２３４に進む。ステップＳ２３４では、モード切替キー２８が押されたか否かを判断し、押された場合は、ステップＳ２３５に進んで、移動回数設定モードへ移行するための処理が行われる。すなわち、現在表示されている移動距離設定値をＲＡＭへ保存し、モードを移動回数設定モードに設定する。
【００９９】
また、ステップＳ２３で移動距離設定モードではなく、移動回数設定モードの場合は、ステップＳ２４へ進んで、移動回数設定時の表示（コピー枚数ＬＥＤをＯＦＦ、移動距離ＬＥＤをＯＦＦ、移動回数ＬＥＤをＯＮ、ＲＡＭより値を読み出し７ｓｅｇＬＥＤで移動回数値）を表示し、ステップＳ２５へ進む。ステップＳ２５においては、数値×１０キー２９、数値×１キー３０が押されたか否かを確認し、押された場合は、ステップＳ２６において７ｓｅｇＬＥＤ４４の表示値を変更し、押されていない場合は、ステップＳ２６をスキップしてステップＳ２７に進む。このステップＳ２７において、モード切替キー２８が押されたか否かを判断し、押された場合は、ステップＳ２８に進み、コピー枚数設定モードへ移行するための処理が行われる。現在表示されている移動回数設定値のＲＡＭへの保存と、モードをコピー枚数設定モードに設定する。
【０１００】
このように、ステップＳ２における入力切替制御処理を行うことにより、使用部品を削減して、操作部を小型化し、コストダウンすることができる。また、ステップＳ２における入力切替制御処理のステップＳ２０１、ステップＳ２０５、ステップＳ２１１、ステップＳ２３１、ステップＳ２３５、ステップＳ２４、ステップＳ２８の７ｓｅｇＬＥＤの値の表示処理、および、ＲＡＭへの保存、呼出し処理を行うことにより、新たにコピ一枚数を設定する煩わしさが無くなり、表等に直線を追記したり、別のページに同様の表等を記載する時等に、新たに移動距離を設定する煩わしさが無くなり、作業効率が向上させることができる。
【０１０１】
続いて、図８のステップＳ３におけるシート駆動制御処理のサブルーチンは、図１０に示すように、筆記シート４の移動制御を行って、コピー枚数設定モードと移動距離回数設定モード、あるいは、移動距離回数設定モードの中でも、シート送りか、シート戻しかで制御を変えている。つまり、シート送り制御か、シート戻し制御かは、基本的に同様な制御であるが、シートの移動方向が異なってくる。
【０１０２】
図８のメインルーチンのステップＳ３において、シート駆動制御がコールされると、図１０のサブルーチンであるステップＳ３のシート駆動制御処理に飛び、ステップＳ３０に進む。ステップＳ３０では、シート移動フラグをチェックし、現在シート移動中か否かを確認する。シート移動フラグが「０」の場合は、シート移動が行われていない。また、シート移動フラグが「１」の場合は、シート移動が行われている。シー卜移動が行われていない場合は、ステップＳ３１に進み、送り／停止キー２２または戻し／停止キー２３が押下されたか否かをチェックする。いずれかのキーが押下された場合は、ステップＳ３２に進んで、シート移動フラグを「１」にし、ステップＳ３３へ進む。また、ステップＳ３１でいずれかのキーが押下されていない場合は、ルーチンを抜ける。また、ステップＳ３０において、シートが移動している場合についても、ステップＳ３３へ進む。
【０１０３】
ステップＳ３３においては、移動距離回数設定モードかコピー枚数設定モードかを判断し、コピー枚数設定モードの場合は、ステップＳ３８の通常シート制御処理に進む。このステップＳ３８は、コピー枚数設定モード時の筆記シート４の移動制御を行うサブルーチンであるが、本発明の内容には直接関係していないため、概略のみを説明するのに留める。すなわち、送り／停止キー２２または戻し／停止キー２３が１度押下されると、１画面分だけ各方向に筆記シートを移動させる。そして、移動中に再度押された場合は、停止し、さらに押された場合は、移動を再開する制御を行っている。
【０１０４】
移動距離回数設定モードの場合は、ステップＳ３４とステップＳ３５で既に戻し／停止キー２３、または、送り／停止キー２２が押され、シート移動動作が実施中か否かを確認する。その確認方法は、シート戻しジョブカウンタ、または、シート送りジョブカウンタの値をチェックして、そのカウント値が０以外であれば実施中であることがわかる。シート戻しジョブカウンタが０でない場合は、サブルーチンであるステップＳ３９のシート戻し制御処理へ進む。
【０１０５】
また、シート送りジョブカウンタが０でない場合は、サブルーチンであるステップＳ４０のシート送り制御処理へ進む。
【０１０６】
シート戻しジョブカウンタとシート送りジョブカウンタの値が共に０の場合は、ステップＳ３６とステップＳ３７へ進み、戻し／停止キ一２３と送り／停止キー２２が押されたか否かを判断し、戻し／停止キー２３が押された場合は、ステップＳ３９のシート戻し制御のサブルーチンへ進む。送り／停止キー２２が押された場合は、ステップＳ４０のシート送り制御のサブルーチンへ進む。キーが押されていない場合は、押されるまで繰り返し確認が行われる。
【０１０７】
次に、図１０のステップＳ３９におけるシート戻し制御のサブルーチンについて説明する。図１１は、シート戻し制御のサブルーチンであり、このステップＳ３９のシート戻し制御は、移動距離回数設定モード時にシート戻しキーが押された場合に入り、シートモータを駆動し、筆記シートを設定距離移動させて、停止時間を設け、さらに、シートモータを駆動し、筆記シートを元の位置に戻す制御、および、その制御を設定回数繰り返す制御を行っている。また、シートモータ１６の停止、および移動に合わせてそれをブザー５０などの報知手段により使用者に報知している。
【０１０８】
図１１のステップＳ３９のシー卜戻し制御がコールされると、ステップＳ３９１へ進んで、シート戻しジョブカウンタ値を確認して、そのカウンタ値の示すジョブへ進む。例えば、シート戻しジョブカウンタ値が「０」の場合は、図１２のステップＳ３９２のシート戻しジョブ０へ進む。
【０１０９】
ステップＳ３９２のシート戻しジョブ０は、シート戻しキーが押された直後に行うジョブでステップＳ３９２１を処理する。このステップＳ３９２１では、シートモータ１６を戻し方向に移動距離設定値分だけＯＮし、筆記シートを戻し方向へ移動開始させ、シート戻しジョブカウンタに１を設定する。ここで、シート戻しジョブカウンタに１が設定されたため、次回は、ステップＳ３９３のシート戻しジョブ１に進む。
【０１１０】
続いて、図１３に示すシート戻しジョブ１のステップＳ３９３では、ステップＳ３９３１において、筆記シートが設定距離移動したか否かを判断し、移動していない場合は、繰返し確認が行われる。設定距離移動した場合は、ステップＳ３９３２へ進み、シート戻しジョブカウンタに２を設定し、設定距離移動終了したことをブザー５０をＯＮして報知する。ここでは、シート戻しジョブカウンタに２が設定されたため、次回は、ステップＳ３９４のシート戻しジョブ２に進む。このように、シート戻しジョブの処理を行うことにより、書込みペンをペン位置決め部より離すタイミングを使用者に認識させることが可能となり、設定距離分の直線の記載が可能となる。
【０１１１】
ステップＳ３９４のシート戻しジョブ２は、図１４に示すように、ステップＳ３９４１でシートモータ停止後、一定時間（停止から再移動予告までの時間）、例えば４秒間経過したか否かを確認し、４秒間が経過するまで継続する。この一定時間が経過した場合は、ステップＳ３９４２へ進む。このステップＳ３９４２では、シート戻しジョブカウンタに３を設定し、筆記シート再移動開始予告のためにブザー５０をＯＮし、使用者に報知する。ここで、シート戻しジョブカウンタに３が設定されたため、次回は、ステップＳ３９５のシート戻しジョブ３に進む。
【０１１２】
ステップＳ３９５のシート戻しジョブ３は、図１５に示すように、ステップＳ３９５１にて再移動開始予告から一定時間が経過したか否かを確認する。ここでは、一定時間を例えば１秒間とし、１秒間が経過していない場合は、経過するまで継続する。１秒間が経過した場合は、ステップＳ３９５２へ進み、元の位置まで筆記シート４を戻すのに、シートを戻した方が所要時間が短いか、シートを送った方が所要時間が短いかを判断している。この判断方法としては、シートの移動距離（設定値）がシート全長に対して半分を超えているか否かで確認している。移動距離がシート全長の半分を超えている場合は、ステップＳ３９５３へ進み、そのまま戻し方向に（シート全長−移動距離設定値分の距離）分だけシートモータをＯＮし、元の位置に戻し、シート戻しジョブカウンタに４を設定する。ステップＳ３９５２の判断が、移動距離がシート全長の半分以下であった場合は、ステップＳ３９５４へ進み、シートを送り方向（移動した方向と逆方向）に移動距離設置値分ＯＮし、シートを元の位置に戻し、シート戻しジョブカウンタに４を設定する。シート戻しジョブカウンタに４が設定されたため、次回は、ステップＳ３９６のシート戻しジョブ４に進む。
【０１１３】
このように、シート戻しジョブ０、１、２、３（図１２〜図１５）の処理を行うことで、請求項２、請求項３を実現することができる。また、シート戻しジョブ３のステップＳ３９５２を行うことで、筆記シートを元の位置に戻す制御を行う際に、距離が短くて済む方向を自動的に選択させることで、元の位置に戻すまでの時間短縮可能となり、作業性が向上することにより、請求項４が実現できる。
【０１１４】
ステップＳ３９６のシート戻しジョブ４は、図１６に示すように、ステップＳ３９６１で筆記シート４が元の位置に移動終了したか否かを確認し、終了していない場合は、繰返し確認する。移動終了した場合は、ステップＳ３９６２で移動終了したことをブザー５０をＯＮして報知し、ステップＳ３９６３へ進む。ステップＳ３９６３では、移動回数設定分の移動が終了したか否かを確認し、終了した場合は、ステップＳ３９６４へ進み、シート戻しジョブカウンタとシート移動フラグに０を設定し、処理を終了する。移動回数設定分の移動が終了していない場合は、ステップＳ３９６５へ進み、シート戻しジョブカウンタ５を設定する。シート戻しジョブカウンタに５が設定されたため、次回は、ステップＳ３９７のシート戻しジョブ５に進む。
【０１１５】
ステップＳ３９７のシート戻しジョブ５は、図１７に示すように、ステップＳ３９７１でシートモータ停止後、一定時間（停止から再移動予告までの時間）、例えば、４秒間経過したか否かを確認し、４秒間が経過するまで継続する。一定時間が経過した場合は、ステップＳ３９７２へ進む。このステップＳ３９７２では、シート戻しジョブカウンタに６を設定し、筆記シートの再移動開始予告のためにブザー５０をＯＮし、報知する。ここでは、シート戻しジョブカウンタに６が設定されたため、次回は、ステップＳ３９８のシート戻しジョブ６に進む。
【０１１６】
ステップＳ３９８のシート戻しジョブ６は、図１８に示すように、ステップＳ３９８１で再移動開始予告から一定時間が経過したか否かを確認する。例えば一定時間を１秒間とし、１秒間が経過していない場合は、経過するまで継続する。１秒間が経過した場合は、ステップＳ３９８２へ進み、シート戻しジョブ０のステップＳ３９２１と同様に、シートモータを戻し方向に移動距離設定値分ＯＮし、筆記シートを戻し方向へ移動開始させ、シート戻しジョブカウンタに１を設定する。それ以後は、前記したシート戻しジョブを繰返し行い、シート戻しジョブ４のステップＳ３９６３の判断で、移動回数設定回数分終了し、ステップＳ３９６４の処理を行い、処理終了となるまで行われる。
【０１１７】
このように、シート戻しショブ４と５と６の処理を行うことにより、請求項６を実現することができる。また、シート戻し制御のステップＳ３９３２、ステップＳ３９４２、ステップＳ３９６２、および、ステップＳ３９７２の処理を行うことで、使用者がペン位置決め部に対して、書込みペンを離すタイミング、保持するタイミングがより明確になり操作性が向上する。特に、複数回のシート移動を設定した場合は、２本目以降の設定距離移動開始時は、使用者にはいつ筆記シートが動き出すか判らずに戸惑うため、筆記シートが動き出す前に報知することで、使用者はシート移動に関する準備を行うことが可能となる。
【０１１８】
次に、図１０のステップＳ４０におけるシート送り制御のサブルーチンについて説明する。図１９は、シート送り制御のサブルーチンであり、このステップＳ４０のシート送り制御は、移動距離回数設定モード時にシート送りキーが押された場合に入り、シートモータを駆動し、筆記シートを設定距離移動させて、停止時間を設け、さらに、シートモータを駆動し、筆記シートを元の位置に戻す制御、および、その制御を設定回数繰り返す制御を行っている。また、シートモータ１６の停止、および移動に合わせてそれをブザー５０などの報知手段により使用者に報知している。
【０１１９】
図１９のステップＳ４０のシー卜送り制御がコールされると、ステップＳ４０１へ進んで、シート送りジョブカウンタ値を確認して、そのカウンタ値の示すジョブへ進む。例えば、シート送りジョブカウンタ値が「０」の場合は、図２０のステップＳ４０２のシート送りジョブ０へ進む。
【０１２０】
ステップＳ４０２のシート送りジョブ０は、シート送りキーが押された直後に行うジョブでステップＳ４０２１を処理する。このステップＳ４０２１では、シートモータ１６を送り方向に移動距離設定値分だけＯＮし、筆記シートを送り方向へ移動開始させ、シート送りジョブカウンタに１を設定する。ここで、シート送りジョブカウンタに１が設定されたため、次回は、ステップＳ４０３のシート送りジョブ１に進む。
【０１２１】
続いて、図２１に示すシート送りジョブ１のステップＳ４０３では、ステップＳ４０３１において、筆記シートが設定距離移動したか否かを判断し、移動していない場合は、繰返し確認が行われる。設定距離移動した場合は、ステップＳ４０３２へ進み、シート送りジョブカウンタに２を設定し、設定距離移動終了したことをブザー５０をＯＮして報知する。ここでは、シート送りジョブカウンタに２が設定されたため、次回は、ステップＳ４０４のシート送りジョブ２に進む。このように、シート送りジョブの処理を行うことで、書込みペンをぺン位置決め部より離すタイミングを使用者に認識させることが可能となり、設定距離分の直線の記載が可能となる。
【０１２２】
ステップＳ４０４のシート送りジョブ２は、図２２に示すように、ステップＳ４０４１でシートモータ停止後、一定時間（停止から再移動予告までの時間）、例えば４秒間経過したか否かを確認し、４秒間が経過するまで継続する。この一定時間が経過した場合は、ステップＳ４０４２へ進む。このステップＳ４０４２では、シート送りジョブカウンタに３を設定し、筆記シート再移動開始予告のためにブザー５０をＯＮし、使用者に報知する。ここで、シート送りジョブカウンタに３が設定されたため、次回は、ステップＳ４０５のシート送りジョブ３に進む。
【０１２３】
ステップＳ４０５のシート送りジョブ３は、図２３に示すように、ステップＳ４０５１にて再移動開始予告から一定時間が経過したか否かを確認する。ここでは、一定時間を例えば１秒間とし、１秒間が経過していない場合は、経過するまで継続する。１秒間が経過した場合は、ステップＳ４０５２へ進み、元の位置まで筆記シート４を戻すのに、シートを送った方が所要時間が短いか、シートを戻した方が所要時間が短いかを判断している。この判断方法としては、シートの移動距離（設定値）がシート全長に対して半分を超えているか否かで確認している。移動距離がシート全長の半分を超えている場合は、ステップＳ４０５３へ進み、そのまま送り方向に（シート全長−移動距離設定値分の距離）分だけシートモータをＯＮし、元の位置に戻し、シート送りジョブカウンタに４を設定する。ステップＳ４０５２の判断が、移動距離がシート全長の半分以下であった場合は、ステップＳ４０５４へ進み、シートを戻し方向（移動した方向と逆方向）に移動距離設置値分ＯＮし、シートを元の位置に戻し、シート送りジョブカウンタに４を設定する。シート送りジョブカウンタに４が設定されたため、次回は、ステップＳ４０６のシート送りジョブ４に進む。
【０１２４】
このように、シート送りジョブ０、１、２、３（図２０〜図２３）の処理を行うことで、請求項２、請求項３を実現することができる。また、シート送りジョブ３のステップＳ４０５２を行うことで、筆記シートを元の位置に戻す制御を行う際に、できるだけ距離が短くなる方向を自動的に選択させることで、元の位置に戻すまでの時間を短縮することが可能となり、作業性が向上する。これにより請求項４が実現できる。
【０１２５】
ステップＳ４０６のシート送りジョブ４は、図２４に示すように、ステップＳ４０６１で筆記シート４が元の位置に移動終了したか否かを確認し、終了していない場合は、繰返し確認する。移動終了した場合は、ステップＳ４０６２で移動終了したことをブザー５０をＯＮして報知し、ステップＳ４０６３へ進む。ステップＳ４０６３では、移動回数設定分の移動が終了したか否かを確認し、終了した場合は、ステップＳ４０６４へ進み、シート送りジョブカウンタとシート移動フラグに０を設定し、処理を終了する。移動回数設定分の移動が終了していない場合は、ステップＳ４０６５へ進み、シート送りジョブカウンタ５を設定する。シート送りジョブカウンタに５が設定されたため、次回は、ステップＳ４０７のシート送りジョブ５に進む。
【０１２６】
ステップＳ４０７のシート送りジョブ５は、図２５に示すように、ステップＳ４０７１でシートモータ停止後、一定時間（停止から再移動予告までの時間）、例えば、４秒間経過したか否かを確認し、４秒間が経過するまで継続する。一定時間が経過した場合は、ステップＳ４０７２へ進む。このステップＳ４０７２では、シート送りジョブカウンタに６を設定し、筆記シートの再移動開始予告のためにブザー５０をＯＮし、報知する。ここでは、シート送りジョブカウンタに６が設定されたため、次回は、ステップＳ４０８のシート送りジョブ６に進む。
【０１２７】
ステップＳ４０８のシート送りジョブ６は、図２６に示すように、ステップＳ４０８１で再移動開始予告から一定時間が経過したか否かを確認する。例えば一定時間を１秒間とし、１秒間が経過していない場合は、経過するまで継続する。１秒間が経過した場合は、ステップＳ４０８２へ進み、シート送りジョブ０のステップＳ４０２１と同様に、シートモータを送り方向に移動距離設定値分ＯＮし、筆記シートを送り方向へ移動開始させ、シート送りジョブカウンタに１を設定する。それ以後は、前記したシート送りジョブを繰返し行い、シート送りジョブ４のステップＳ４０６３の判断で、移動回数設定回数分終了し、ステップＳ４０６４の処理を行い、処理終了となるまで行われる。
【０１２８】
このように、シート送りショブ４と５と６の処理を行うことにより、請求項６を実現することができる。また、シート送り制御のステップＳ４０３２、ステップＳ４０４２、ステップＳ４０６２、および、ステップＳ４０７２の処理を行うことで、使用者がペン位置決め部に対して、書込みペンを離すタイミング、保持するタイミングがより明確になり操作性がよくなる。特に、複数回のシート移動を設定した場合の２本目以降の設定距離移動開始時は、使用者にはいつ筆記シートが動き出すか判らず戸惑うため、筆記シートが動き出す前に報知することで、使用者はシート移動に関する準備を行うことが可能となる。
【０１２９】
図８のステップＳ４におけるコピー制御処理のサブルーチンは、図２７を用いて説明する。図２７のステップＳ４のコピー制御は、ステップＳ４１でコピースタートキー３１が押されたか否かを判断し、押されていない場合は、押されるまで繰返し確認を行う。コピースタートキー３１が押された場合は、ステップＳ４２で移動距離回数設定モートか否かが判断され、移動距離回数設定モードでない場合は、ステップＳ４３でコピー開始制御のサブルーチンの処理が行われる。このステップＳ４３のコピー開始制御は、実際のコピー処理を開始する制御を行うところであるが、本発明の内容に直接関係していないため、制御動作の詳細な説明は省略する。また、ステップＳ４２において、移動距離回数設定モードの場合は、ステップＳ４３のコピー開始制御をスキップして、コピー作業を実施しないようにする。
【産業上の利用可能性】
【０１３０】
以上のように、本発明にかかる書込み装置は、電子黒板装置やお絵かきボードといった搬送可能な筆記シートを用いた書込み装置に有用であり、特に、筆記シートの搬送方向やこれと直交する方向に定規を使わずに所望の長さで綺麗な直線を引くことが可能な書込み装置に適している。
【図面の簡単な説明】
【０１３１】
【図１】本発明の書込み装置の一実施例である電子黒板装置の全体外観図である。
【図２】図１のＡ−Ａ線断面図である。
【図３】図１の操作部の一構成例を示す詳細図である。
【図４】図１の電子黒板装置の概略構成を説明する制御ブロック図である。
【図５】図１の位置決め部のペン保持部に書込みペンを保持させた状態を示す断面図である。
【図６−１】図１の位置決め部のレール部上端に設けられた待避部にペン保持部が待避する前の状態図である。
【図６−２】図１のレール部上端に設けられた待避部にペン保持部が待避した後の状態図である。
【図７】図１の筆記シートに５ｃｍ角のマス目を入れて実施した電子黒板装置の全体外観図である。
【図８】書込み装置の制御処理のメインルーチンを示すフローチャートである。
【図９】図８の入力切替制御処理のサブルーチンを示すフローチャートである。
【図１０】図８のシート駆動制御処理のサブルーチンを示すフローチャートである。
【図１１】図１０のシート戻し制御処理に関するサブルーチンを示すフローチャートである。
【図１２】図１１のシート戻しジョブカウンタが０の場合の処理を説明するフローチャートである。
【図１３】図１１のシート戻しジョブカウンタが１の場合の処理を説明するフローチャートである。
【図１４】図１１のシート戻しジョブカウンタが２の場合の処理を説明するフローチャートである。
【図１５】図１１のシート戻しジョブカウンタが３の場合の処理を説明するフローチャートである。
【図１６】図１１のシート戻しジョブカウンタが４の場合の処理を説明するフローチャートである。
【図１７】図１１のシート戻しジョブカウンタが５の場合の処理を説明するフローチャートである。
【図１８】図１１のシート戻しジョブカウンタが６の場合の処理を説明するフローチャートである。
【図１９】図１０のシート送り制御処理に関するサブルーチンを示すフローチャートである。
【図２０】図１９のシート送りジョブカウンタが０の場合の処理を説明するフローチャートである。
【図２１】図１９のシート送りジョブカウンタが１の場合の処理を説明するフローチャートである。
【図２２】図１９のシート送りジョブカウンタが２の場合の処理を説明するフローチャートである。
【図２３】図１９のシート送りジョブカウンタが３の場合の処理を説明するフローチャートである。
【図２４】図１９のシート送りジョブカウンタが４の場合の処理を説明するフローチャートである。
【図２５】図１９のシート送りジョブカウンタが５の場合の処理を説明するフローチャートである。
【図２６】図１９のシート送りジョブカウンタが６の場合の処理を説明するフローチャートである。
【図２７】図８のコピー制御処理のサブルーチンを示すフローチャートである。
【符号の説明】
【０１３２】
１  電子黒板装置
２  表示枠
３  書込み窓
３ａ  垂直方向の書込み窓
４  筆記シート
５  位置決め部
５ａ  レール部
５ｂ  スライド部
５ｃ  ペン保持部
５ｄ  退避部
５ｅ  スライド部用スケール部
５ｆ  筆記シート移動距離用スケール部
５ｇ  突出部
６  電装ボックス
６ａ  操作部
７  プリンタ
８  アーム
９  スタンド部
１０  キャスタ
１１  シートボード
１２  移動ローラ
１３、１４、１５  従動ローラ
１６  シートモータ
１７  光源
１８  ミラー
１９  レンズ
２０  光学読取り部
２１  電源キー
２２  送り／停止キー
２３  戻し／停止キー
２４  クリーニングキー
２５  濃度キー
２６  コピ一モードキー
２７  コピーストップキー
２８  モード切替キー
２９  数値×１０キー
３０  数値×１キー
３１  コピースタートキー
３２  電源ＬＥＤ
３３  エラーＬＥＤ
３４  クリーニングＬＥＤ
３５  濃いＬＥＤ
３６  薄いＬＥＤ
３７  追加モードＬＥＤ
３８  ２ページ集約モードＬＥＤ
３９  ４ページ集約モードＬＥＤ
４０  ４ページ連続モードＬＥＤ
４１  コピー枚数ＬＥＤ
４２  シート移動距離ＬＥＤ
４３  移動回数ＬＥＤ
４４  ７ｓｅｇＬＥＤ
４５  メイン制御部
４６  ＣＰＵ
４７  ＲＯＭ
４８  ＲＡＭ
４９  ゲートアレイ
５０  ブザー
５１  書込みペン
５２  直線
【図１】
2005225142.tif 000003
【図２】
2005225142.tif 000004
【図３】
2005225142.tif 000005
【図４】
2005225142.tif 000006
【図５】
2005225142.tif 000007
【図６−１】
2005225142.tif 000008
【図６−２】
2005225142.tif 000009
【図７】
2005225142.tif 000010
【図８】
2005225142.tif 000011
【図９】
2005225142.tif 000012
【図１０】
2005225142.tif 000013
【図１１】
2005225142.tif 000014
【図１２】
2005225142.tif 000015
【図１３】
2005225142.tif 000016
【図１４】
2005225142.tif 000017
【図１５】
2005225142.tif 000018
【図１６】
2005225142.tif 000019
【図１７】
2005225142.tif 000020
【図１８】
2005225142.tif 000021
【図１９】
2005225142.tif 000022
【図２０】
2005225142.tif 000023
【図２１】
2005225142.tif 000024
【図２２】
2005225142.tif 000025
【図２３】
2005225142.tif 000026
【図２４】
2005225142.tif 000027
【図２５】
2005225142.tif 000028
【図２６】
2005225142.tif 000029
【図２７】
2005225142.tif 000030